(57)【要約】【課題】座り心地のよい椅子を提供すること。【解決手段】角部６０Ａ，６０Ａを中心として弾性変形可能なＬ字状部材６と、角部６０Ａ，６０Ａを挟んだＬ字状部材６の一方側６０ａ、６０ｃ、６１と他方側６０ｂ、６２、６４とに張られたシート部材７とを備え、  Ｌ字状部材６の一方側６０ａ、６０ｃ、６１は座２２として利用でき、Ｌ字状部材６の他方側６０ｂ、６２、６４は背凭れ２１として利用できるようになっている。【選択図】図６
2018068969.tif 000002
【特許請求の範囲】
【請求項１】
角部を中心として弾性変形可能なＬ字状部材と、前記角部を挟んだ前記Ｌ字状部材の一方側と他方側とに張られたシート部材とを備え、
前記Ｌ字状部材の一方側は座として利用でき、前記Ｌ字状部材の他方側は背凭れとして利用できるようになっていることを特徴とする椅子。
【請求項２】
前記背凭れは、前記シート部材との前記他方側の連結部分よりも上方に延出していることを特徴とする請求項１に記載の椅子。
【請求項３】
前記Ｌ字状部材は、一対の支持フレームと、一対の前記支持フレームを連結する第１連結杆と、第２連結杆と、を備え、
前記第１連結杆と前記第２連結杆との間に前記シート部材が張られていることを特徴とする請求項１または２に記載の椅子。
【請求項４】
前記第２連結杆は、前記角部よりも高い位置に設けられていることを特徴とする請求項３に記載の椅子。
【請求項５】
前記背凭れと前記座には、クッション部材が配置されていることを特徴とする請求項１ないし４のいずれかに記載の椅子。
【請求項６】
前記背凭れに配置されるクッション部材と前記座に配置されるクッション部材との間には、別のクッション部材が配置されていることを特徴とする請求項５に記載の椅子。
【発明の詳細な説明】
【技術分野】
【０００１】
本発明は、座と背凭れを有する椅子に関する。
【背景技術】
【０００２】
家庭等で使用される座と背凭れを有する椅子として、特許文献１に示されるような椅子が知られている。この椅子は、座と、座の後端から上方に延びる背凭れと、から主に構成されており、座の骨子となる座フレームと背凭れの骨子となる背凭れフレームとは、回動可能に連結されている。また、座フレームと背凭れフレームとの連結部には、ラチェット機構が配置されており、該ラチェット機構により座フレームに対する背凭れフレームの傾斜角度の設定を段階的に適宜変更できるようになっている。
【先行技術文献】
【特許文献】
【０００３】
【特許文献１】特開２０１５−２０８４７３号公報（第６頁、第２図）
【発明の概要】
【発明が解決しようとする課題】
【０００４】
しかしながら、特許文献１のような椅子は、座フレームに対する背凭れフレームの傾斜角度の設定を変更した後、ラチェット機構により座フレームに対して背凭れフレームの傾斜角度が固定される構成となっており、長時間の使用では一定姿勢で座ることとを強いられるため、背中に負荷が掛かり、座り心地が悪かった。
【０００５】
本発明は、このような問題点に着目してなされたもので、座り心地のよい椅子の提供を目的とする。
【課題を解決するための手段】
【０００６】
前記課題を解決するために、本発明の椅子は、
角部を中心として弾性変形可能なＬ字状部材と、前記角部を挟んだ前記Ｌ字状部材の一方側と他方側とに張られたシート部材とを備え、
前記Ｌ字状部材の一方側は座として利用でき、前記Ｌ字状部材の他方側は背凭れとして利用できるようになっていることを特徴としている。
この特徴によれば、着座時には、着座者の体重によりシート部材が沈み込み、該シート部材がＬ字状部材の他方側を座側かつ下方側に引っ張り、Ｌ字状部材の角部を中心として背凭れを前方に向けて傾動させる力が作用し、この力は着座者の背中が背凭れを後方に傾動させる力の反力となる。そのため、着座者の体重や着座位置に合った反力で背中をサポートすることができ、座り心地がよい椅子を提供することができる。
【０００７】
前記背凭れは、前記シート部材との前記他方側の連結部分よりも上方に延出していることを特徴としている。
この特徴によれば、背凭れにおける他方側のシート部材との連結部分とＬ字状部材の角部との距離が、背凭れの上端からＬ字状部材の角部との距離よりも短く、座に負荷される力よりも背凭れに負荷される力の影響が大きくされているため、リクライニング時には背凭れの移動量を大きく確保できる。
【０００８】
前記Ｌ字状部材は、一対の支持フレームと、一対の前記支持フレームを連結する第１連結杆と、第２連結杆と、を備え、
前記第１連結杆と前記第２連結杆との間に前記シート部材が張られていることを特徴としている。
この特徴によれば、Ｌ字状部材を軽量に構成できるとともに、背凭れと座とを相対的に撓ませやすい。
【０００９】
前記第２連結杆は、前記角部よりも高い位置に設けられていることを特徴としている。
この特徴によれば、膝の位置を高くすることができるため、座に対して着座者の荷重を好適にかけることができる。
【００１０】
前記背凭れと前記座には、クッション部材が配置されていることを特徴としている。
この特徴によれば、クッション部材により背凭れ及び座にかかる荷重を面方向に分散して伝えることができる。
【００１１】
前記背凭れに配置されるクッション部材と前記座に配置されるクッション部材との間には、別のクッション部材が配置されていることを特徴としている。
この特徴によれば、背凭れと座との変形に各クッション部材が追従しやすい。
【図面の簡単な説明】
【００１２】
【図１】実施例１における椅子を示す斜視図である。
【図２】椅子本体の構造を示す斜視図である。
【図３】背凭れの傾動動作を示す説明図である。
【図４】ベース体の構造を示す側面図である。
【図５】（ａ）は、座に対して小さな荷重がかかった状態を示す側断面図、（ｂ）は、座に対して大きな荷重がかかった状態を示す側断面図である。
【図６】（ａ）は、実施例１における椅子に着座者が背凭れに小さく凭れた状態を示す側断面図、（ｂ）は、着座者が背凭れに大きく凭れた状態を示す側断面図である。
【図７】実施例２におけるシート部材の構造を示す斜視図である。
【図８】実施例２における椅子において着座者が背凭れに大きく凭れた状態を示す側断面図である。
【図９】（ａ）（ｂ）は、実施例３におけるシート部材の張り調整機構を示す下面図である。
【発明を実施するための形態】
【００１３】
本発明に係る椅子を実施するための形態を実施例に基づいて以下に説明する。
【実施例１】
【００１４】
実施例１に係る椅子につき、図１から図６を参照して説明する。以下、図３の紙面左側を椅子の正面側（前方側）とし、椅子の正面側から見て左右側を椅子の左右として説明する。
【００１５】
図１に示されるように、椅子１は、リビング等で使用される所謂座椅子である。椅子１は、椅子本体２と、椅子本体２に載置される第１クッション３、第２クッション４及び第３クッション５と、から主に構成されている。尚、第１クッション３は、椅子本体２における後述する背凭れ２１の前面に配置され、第２クッション４は、椅子本体２における後述する座２２の上面に配置され、第３クッション５は、第１クッション３及び第２クッション４の間の位置に配置されている。
【００１６】
図２に示されるように、椅子本体２は、木製のベース体６と、ベース体６に取付けられるシート部材７と、肘掛フレーム８，８と、から主に構成されている。図２〜図４に示されるように、ベース体６は、左右一対の支持フレーム６０，６０と、支持フレーム６０，６０の間を連結する第１連結杆６１、第２連結杆６２、第３連結杆６３及び第４連結杆６４と、を備えている。
【００１７】
支持フレーム６０は、床面に沿って水平に延びる水平杆部６０ａと、水平杆部６０ａの後端から上方に延びる立上杆部６０ｂと、を備えており、側面視において略Ｌ字形状を成す。水平杆部６０ａの前端側は、上方に立ち上がる立上部６０ｃとなっている。
【００１８】
立上杆部６０ｂは、水平杆部６０ａの後端から湾曲して一旦前方に傾斜した後、背面側に傾斜するように屈曲して延設されている。つまり、立上杆部６０ｂは、くの字形状を成しており、座２２側の水平杆部６０ａと背凭れ２１側の立上杆部６０ｂとで成す角部６０Ａは、鋭角となっており、支持フレーム６０は、角部６０Ａを中心として撓曲変形可能となっている（特に図３参照）。
【００１９】
また、第１連結杆６１は、支持フレーム６０，６０における立上部６０ｃ，６０ｃ間に固定されており、角部６０Ａ，６０Ａよりも高い位置に設置されている。第２連結杆６２は、支持フレーム６０，６０における立上杆部６０ｂ，６０ｂの屈曲部近傍（上下方向の中間部近傍）を連結するように固定されている。第３連結杆６３は、第１連結杆６１よりも背面側の位置で水平杆部６０ａ，６０ａ間に固定されている。第４連結杆６４は、支持フレーム６０，６０における立上杆部６０ｂ，６０ｂの上端部を連結するように固定されている。
【００２０】
すなわち、ベース体６は、角部６０Ａ，６０Ａを中心として弾性変形可能な側面視略Ｌ字形状を成すＬ字状部材として機能している。尚、理解を助けるために、便宜上、ベース体６が角部６０Ａ，６０Ａを中心として弾性変形することを、以下では、ベース体６が角部６０Ａ，６０Ａを支点として弾性変形するというが、同一の意味を指す。
【００２１】
このベース体６は、左右一対の支持フレーム６０，６０と、第１連結杆６１、第２連結杆６２、第３連結杆６３及び第４連結杆６４と、から構成される枠体形状であるため、例えば、一枚の板材等から構成されるベース体に比べて軽量であるとともに、角部６０Ａ，６０Ａを支点として撓曲変形しやすい構造となっている。
【００２２】
シート部材７は、帆布等の強度を有する布材であり、第１連結杆６１と第２連結杆６２との間に余裕を持たせた状態（下方に湾曲するように若干撓ませた状態）で張られている。尚、本実施例では、理解を助けるために、シート部材７における一点鎖線で囲った前方側の所定領域（横方向に延びている部分）を第１領域Ｚ１とし、シート部材７における二点鎖線で囲った後方側の所定領域（縦方向に延びている部分）を第２領域Ｚ２として説明する。
【００２３】
このシート部材７は、角部６０Ａ，６０Ａよりも高い位置に設置される第１連結杆６１と第２連結杆６２との間に固定されており、着座していない不使用状態において該シート部材７の最下端部が床面よりも上方に配置されている。好ましくは、通常使用における着座状態において、ベース体６が角部６０Ａ，６０Ａを支点として撓曲変形した際にも床面に接触しないようになっている（特に図３参照）。また、シート部材７は、第１連結杆６１と第２連結杆６２との間に固定されて着座者に追従した形状に変形可能となっている。
【００２４】
尚、図示しないが、シート部材７の上端部は、シート部材７の上端を折り返して縫い合わせることによりリング状に形成されており、ベース体６の組み立て時において、第２連結杆６２を前記リングに挿通した状態で支持フレーム６０，６０間に固定することで、第２連結杆６２に対して固定される。また、シート部材７の下端部は、第１連結杆６１に巻き付けた状態でステープラーにより固定される。これによれば、シート部材７の下端部の第１連結杆６１への巻き付け度合によりベース体６に対するシート部材７の張り具合を調整できるようになっている。
【００２５】
図２に示されるように、ベース体６における水平杆部６０ａ，６０ａ、立上部６０ｃ，６０ｃ及び第１連結杆６１と、シート部材７における前方側の第１領域Ｚ１とは、椅子本体２における座２２を構成している。また、ベース体６における立上杆部６０ｂ，６０ｂ、第２連結杆６２及び第４連結杆６４と、シート部材７における後方側の第２領域Ｚ２とは、椅子本体２における背凭れ２１を構成している。
【００２６】
図４に示されるように、肘掛フレーム８は、立上杆部６０ｂにおける中間部（屈曲部）よりも上端側の部分に沿って固定される第１固定端部８ａと、第１固定端部８ａから湾曲して前方側に水平方向に延びる水平部８ｂと、水平部８ｂの前端から更に湾曲して後方下側に傾斜して延びる傾斜部８ｃと、傾斜部８ｃの先端から水平杆部６０ａに沿って後方側に延び該水平杆部６０ａに固定される第２固定端部８ｄと、を備える。水平部８ｂは、着座者の肘掛けとして機能し、着座者の腕を休めることができるとともに、該水平部８ｂを利用して離着席をスムーズに行うことができるようになっている。
【００２７】
尚、水平部８ｂと傾斜部８ｃとの間の部分は、第１湾曲部８ｅとなっており、第１固定端部８ａと水平部８ｂとの間の部分は、第２湾曲部８ｆとなっており、傾斜部８ｃと第２固定端部８ｄとの間の部分は、第３湾曲部８ｇとなっており、これら第１湾曲部８ｅ、第２湾曲部８ｆ及び第３湾曲部８ｇは、撓曲変形可能となっている。
【００２８】
これによれば、後に詳述する支持フレーム６０，６０の角部６０Ａ，６０Ａを支点とした撓曲変形の際には、第１湾曲部８ｅ，８ｅ、第２湾曲部８ｆ，８ｆ及び第３湾曲部８ｇ，８ｇが追従して撓曲変形することにより支持フレーム６０，６０の撓曲変形を許容しながらも、各第１湾曲部８ｅ，８ｅ、第２湾曲部８ｆ，８ｆ及び第３湾曲部８ｇ，８ｇの反力により支持フレーム６０，６０の必要以上の屈曲を抑制している。
【００２９】
尚、肘掛フレーム８，８は、第１固定端部８ａ及び第２固定端部８ｄが水平杆部６０ａ及び立上杆部６０ｂに対し図示しないネジにより固定されている。すなわち、肘掛フレーム８，８は、ベース体６に対して着脱可能となっており、着座者のニーズに合わせて肘掛フレーム８，８の有無を選択できる。
【００３０】
次に、着座者が座２２に着座した様子を図５を用いて説明する。図５（ａ）は、座に対して小さな荷重がかかった状態を示す側断面図であり、（ｂ）は、座に対して大きな荷重がかかった状態を示す側断面図である。尚、以下では、肘掛フレーム８，８の構造の図示を省略する。
【００３１】
図５（ａ）に示されるように、座２２に対して小さな荷重Ｇ１がかかった場合には、該荷重Ｇ１が第２クッション４によりシート部材７の第１領域Ｚ１の面方向に分散されて伝わり、シート部材７の第１領域Ｚ１が局所的に大きく沈み込むことなく、下方向に向けて好適に押圧することができる。
【００３２】
このように、シート部材７の第１領域Ｚ１が下方向に向けて押圧されることにより、シート部材７の第２領域Ｚ２が第２連結杆６２を前方下方向に向けて引っ張るように作用し、この引張力より背凭れ２１が左右の角部６０Ａ，６０Ａを支点として矢印Ｓ方向（前方向）へ倒れるように傾動する。
【００３３】
また、図５（ｂ）に示されるように、座２２に対して荷重Ｇ１に比べ大きな荷重Ｇ２がかかった場合には、上記と同様に、座２２に対して第２クッション４を介して下方向に荷重Ｇ２がかかり、シート部材７の第１領域Ｚ１が下方向に向けて押圧される。シート部材７の第１領域Ｚ１が下方向に向けて押圧されることにより、背凭れ２１が左右の角部６０Ａ，６０Ａを支点として矢印Ｓ方向（前方向）へ倒れるように傾動する。
【００３４】
このように、座２２対して荷重Ｇ１よりも大きな荷重Ｇ２がかかった際には、座２２に対して荷重Ｇ１がかかったときの背凭れ２１の前方への移動量Ｌ１０よりも、座２２に対して荷重Ｇ２がかかったときの背凭れ２１の前方への移動量Ｌ２０の方が大きくなる（Ｌ１０＜Ｌ２０）。つまり、例えば、体重の重い着座者が座２２に体重をかけた場合や体重の軽い着座者が座２２に体重をかけた場合等に応じて背凭れ２１の矢印Ｓ方向への移動量が変化するようになっている。この背凭れ２１の矢印Ｓ方向への移動量は、後述のように、着座者が背凭れ２１に凭れた際（背凭れ２１を後方に傾動させる力）の反力となる。
【００３５】
言い換えれば、着座者の体重に比例して背凭れ２１が着座者の背中に与える反力が変化するため、各着座者の体重に合った反力で背中をサポートすることができるようになっており、且つ、着座者の動きに追従して背凭れ２１が撓曲変形するため、長時間の着座であっても着座者に与える負荷を軽減でき、座り心地が向上する。
【００３６】
尚、前述したように、角部６０Ａ，６０Ａは、着座していない不使用状態（座２２に荷重がかかる前の状態）において、背凭れ２１が前方側に傾斜して鋭角となる構造であるため、座２２に荷重Ｇ１または荷重Ｇ２がかかった際に、その荷重Ｇ１または荷重Ｇ２を背凭れ２１を前側に傾倒させる引張力に変換しやすい。
【００３７】
また、角部６０Ａ，６０Ａを鋭角とするために、立上杆部６０ｂの下端部近傍は、前方側に傾斜しているが、立上杆部６０ｂは、その中間部（屈曲部）より後方側に屈曲し略くの字形状を成すため、立上杆部６０ｂの屈曲部よりも上方側の部分は後方に湾曲しやすくなっているため背凭れ２１に大きな荷重を預けた際にその動作に追従しやすくなっており、着座者の背中を好適にサポートできる。
【００３８】
図６（ａ）に示されるように、着座者が背凭れ２１に凭れると、第１クッション３を介して着座者の背面側の荷重Ｇ３が第２連結杆６２、第４連結杆６４及び立上杆部６０ｂ，６０ｂにかかるようになっている。これによれば、背凭れ２１は、着座者の背中に反力を与えつつ、角部６０Ａ，６０Ａを支点として撓曲変形する。
【００３９】
尚、着座者が背凭れ２１に凭れた際には、背凭れ２１にも着座者の体重を預けることができるため、着座者が背凭れ２１に凭れない場合に比べて、座２２にかかる荷重が小さくなる（荷重Ｇ４として図示）。
【００４０】
このように、背凭れ２１にかかる着座者の荷重Ｇ３が、第１クッション３により第２連結杆６２、第４連結杆６４及び立上杆部６０ｂ，６０ｂに対し面方向に分散されて伝わるため、後方向に向けて好適に押圧することができる。また、着座者の背中に第２連結杆６２及び第４連結杆６４が直接当接しないため、着座者の背中に痛みを感じることが無い。
【００４１】
尚、第１クッション３を第２クッション４、第３クッション５よりも幅広に形成し、第１クッション３は立上杆部６０ｂ，６０ｂ上に載置されているため、上述した荷重Ｇ３は分散されやすくなっている。
【００４２】
また、図５及び図６に示されるように、角部６０Ａから第２連結杆６２までの距離Ｌ１（背凭れ２１の支点（回動中心）からシート部材７の引張力の作用点までの距離）は、角部６０Ａから第４連結杆６４までの距離Ｌ２（背凭れ２１の支点（回動中心）から着座者の後方に傾倒する力の作用点までの距離）よりも短くなっている（Ｌ１＜Ｌ２）。すなわち、背凭れ２１は、背凭れ２１の後方への移動量に比べ、背凭れ２１の前方への移動量が小さくなるため、着座した際における背凭れ２１の前方側への過剰な倒れ込みを抑制することを防止できる。言い換えれば、座２２に負荷される力よりも背凭れ２１に負荷される力の影響が大きくされているため、リクライニング時（背中を大きく後方側へ倒す際）には背凭れ２１の移動量を大きく確保できる。
【００４３】
また、図６（ｂ）に示すように、リクライニング時においては、図６（ａ）に示す状態よりも、着座者の重心バランスが後方側に大きくなるため、背凭れ２１にかかる荷重Ｇ３’は、図６（ａ）において背凭れ２１にかかる荷重Ｇ３に比べて大きくなり（荷重Ｇ３＜荷重Ｇ３’）、反対に座２２にかかる荷重Ｇ４’は、着座者の体重の大部分が背凭れ２１に支持され、図６（ａ）よりも着座者の臀部等が持ち上がるようになり、図６（ａ）において座２２にかかる荷重Ｇ４よりも小さくなる（荷重Ｇ４＞荷重Ｇ４’）。すなわち、背凭れ２１からの反力が小さくなり、背凭れ２１が後方に傾倒しやすくなるため、着座者はより大きくリクライニングすることが可能となる。また、背凭れ２１が大きく後方側へ倒れることにより、シート部材７がより張られる方向に引っ張られるため、シート部材７による着座者の支持力も向上する。
【００４４】
また、立上杆部６０ｂ，６０ｂは、シート部材７の上端側の連結部である第２連結杆６２よりも上方に延びる部分を有し、該上方に延びる部分には、シート部材７の引張力が直接作用しないため、リクライニング時には、立上杆部６０ｂ，６０ｂにおける第２連結杆６２よりも上方に延びる部分を支点として第リクライニング時の荷重Ｇ４’により後方に撓曲変形し、好適なリクライニング角度とすることができる。
【００４５】
また、第２連結杆６２は、角部６０Ａ，６０Ａよりも高い位置に設けられており、この第２連結杆６２にシート部材７の下端部が取付けられているため、着座者の膝の位置が高い位置に保持され、座２２に対して着座者の荷重を好適にかけることができる。
【００４６】
また、第１クッション３、第２クッション４及び第３クッション５は、それぞれ分割されて配置されている。また、図示しないが、第１クッション３は、第４連結杆６４に対して固定されており、第２クッション４は、第１連結杆６１近傍に固定されており、第３クッション５は、第１クッション３と第２クッション４との間に固定されない状態で配置されているため、各第１クッション３、第２クッション４及び第３クッション５は、背凭れ２１と座２２との変形に対して追従しやすい。尚、本実施例では、第１クッション３、第２クッション４及び第３クッション５が分割されていたが、隣接するクッション同士が接続されて一体化されていてもよい。
【実施例２】
【００４７】
次に、実施例２に係る椅子につき、図７及び図８を参照して説明する。尚、前記実施例と重複する同一構成の説明を省略する。
【００４８】
図７に示されるように、実施例２の椅子１０は、シート部材７の第１領域Ｚ１の前端側に板状部材１１が取付けられている。詳しくは、シート部材７の第１領域Ｚ１の前端側に板状部材１１を配置した後、シート部材７とは別のシート部材１２により板状部材１１を被覆し、シート部材７とシート部材１２とを縫い合わせることによりシート部材７に対し板状部材１１が取付けられる。
【００４９】
すなわち、シート部材７とシート部材１２とにより１枚のシート部材７０が形成され、板状部材１１は、シート部材７０に内包されるため、例えば、板状部材１１がシート部材７に対して面ファスナ等により取付けられる態様に比べ、シート部材７０に対する板状部材１１の取付強度が高い。
【００５０】
図８に示すように、板状部材１１によりシート部材７の第１領域Ｚ１が補強されているため、第１領域Ｚ１の座屈等が防止され、着座者の臀部近傍を安定して支持できる。さらに、第２クッション４により面方向に分散された荷重Ｇ４’を板状部材１１の上面で受けることができるため、該荷重Ｇ４’を第２連結杆６２を下側に向けて引っ張る力に変換しやすく、背凭れ２１を前方に傾動させやすい。
【００５１】
なお、木製の板材などから成る板状部材１１を例に説明したが、板状部材１１はシート部材７よりも剛性を有するものであればよく、樹脂成形品や金属であってもよい。
また、板状部材１１の形状として矩形を例に説明したが、臀部や腿部を支持するものであればよく、その形状は円形、楕円形等他の形状であってもよい。
【実施例３】
【００５２】
次に、実施例３に係る椅子につき、図９を参照して説明する。尚、前記実施例と重複する同一構成の説明を省略する。
【００５３】
図９に示されるように、本実施例の椅子１００は、シート部材７の張り調整機構３０を備えており、この張り調整機構３０は、シート部材７の下端部（第１連結杆６１側）の裏面に設けられている。
【００５４】
詳しくは、張り調整機構３０は、シート部材７の下端縁周辺に設けられるフック形状の素子を有する面ファスナ３１と、面ファスナ３１からシート部材７の長手方向に離間した位置に所定間隔で３つ並列されるループ形状の素子を有する面ファスナ３２，３３，３４と、から成る。尚、ここでは、説明の便宜上、面ファスナ３１を網掛けで図示し、面ファスナ３２，３３，３４をドットにより図示している。
【００５５】
このシート部材７の下端部は、第１連結杆６１の上面側から下面側に亘って巻き付けられ、面ファスナ３１を面ファスナ３２，３３，３４のうちいずれかに係着させることにより第１連結杆６１に固定される。
【００５６】
例えば、シート部材７を緩めに張りたい場合には、図９（ａ）に示されるように、面ファスナ３１を該面ファスナ３１に最も近い面ファスナ３２に係着させればよい。また、シート部材７をきつめに張りたい場合には、面ファスナ３１を該面ファスナ３１から最も遠い面ファスナ３４に係着させればよい。つまり、面ファスナ３１の係着位置を面ファスナ３２，３３，３４の中から選択することにより、シート部材７を所望の張り具合に調整することができる。
【００５７】
尚、張り調整機構は、実施例３のものに限られず、例えば、面ファスナに代えてボタンなどを採用してもよいし、リール等の巻軸機構によりシート部材の張り具合を調整できるようになっていてもよい。
【００５８】
以上、本発明の実施例を図面により説明してきたが、具体的な構成はこれら実施例に限られるものではなく、本発明の要旨を逸脱しない範囲における変更や追加があっても本発明に含まれる。
【００５９】
例えば、前記実施例では、側面視略Ｌ字状を成すベース体６をＬ字状部材として説明したが、Ｌ字状部材とは、構造の外形形状がＬ字状を成すものに限られず、例えば、変形可能な角部を挟んで一方側の構造部及び他方側の構造部を有し、且つ一方側の構造部に対しシート部材の一端が固定される固定部と、他方側の構造部に対しシート部材の他端が固定される固定部と、角部とを結ぶ線が略Ｌ字形状を成すものであればよい。
【００６０】
また、前記実施例では、シート部材７が側面視で下方に撓んだ状態で張られていたが、例えば、側面視で略直線状となるように張られていてもよい。また、シート部材７は、第１連結杆６１と第２連結杆６２との間に張られていたが、例えば、第１連結杆６１と第４連結杆６４との間に張られていてもよい。
【００６１】
また、前記実施例では、左右一対の支持フレーム６０，６０と、第１連結杆６１、第２連結杆６２、第３連結杆６３及び第４連結杆６４と、から構成されていたが、例えば、側面視略Ｌ字状の一枚の板材から構成されていてもよい。
【００６２】
また、前記実施例では、第１クッション３、第２クッション４及び第３クッション５を用いていたが、例えば、第１クッション３、第２クッション４及び第３クッション５を用いず、シート部材７上に直接座るようにしてもよい。
【００６３】
また、前記実施例では、肘掛フレーム８，８を設けた例について説明したが、肘掛フレームを具備しない椅子であってもよい。
【００６４】
尚、前記実施例では、シート部材７は、帆布等の伸縮し難い部材により構成されていたが、着座時に背凭れ２１を前方側に傾倒させる引張力を付与することができるものであれば、硬質ゴム等の多少伸縮できるような部材により構成されていてもよい。
【符号の説明】
【００６５】
１                椅子
２                椅子本体
３                第１クッション
４                第２クッション
５                第３クッション
６                ベース体（Ｌ字状部材）
７                シート部材
１０              椅子
１１              板状部材
２１              背凭れ
２２              座
３０              張り調整機構
６０              支持フレーム
６０Ａ            角部
６０ａ            水平杆部
６０ｂ            立上杆部
６０ｃ            立上部
６１              第１連結杆
６２              第２連結杆
６３              第３連結杆
６４              第４連結杆
７０              シート部材
１００            椅子
【図１】
2018068969.tif 000003
【図２】
2018068969.tif 000004
【図３】
2018068969.tif 000005
【図４】
2018068969.tif 000006
【図５】
2018068969.tif 000007
【図６】
2018068969.tif 000008
【図７】
2018068969.tif 000009
【図８】
2018068969.tif 000010
【図９】
2018068969.tif 000011